(57)【要約】【課題】  基地局へのインプリメントを従来よりも複雑にすることなく、システム的に意図しない送信電力変動を抑制するとともに、より高精度な送信電力制御を可能とする。【解決手段】  移動局から受信した送信電力制御ビットを用いて演算した第１の送信電力値を用いる第１の送信電力制御系と、上位装置より設定された第２の送信電力値を用いる第２の送信電力制御系とにより送信電力を制御するＣＤＭＡ基地局送信電力制御方式で、第１及び第２の送信電力制御系による送信電力制御反映タイミング１１０を同一とする。【選択図】          図５
2005080080.tif 000002
【特許請求の範囲】
【請求項１】
移動局から受信した送信電力制御ビットを用いて演算した第１の送信電力値を用いる第１の送信電力制御系と、上位装置より設定された第２の送信電力値を用いる第２の送信電力制御系とにより送信電力を制御するＣＤＭＡ基地局送信電力制御方式であって、
上記第１及び第２の送信電力制御系による上記送信電力制御の反映タイミングを同一とすることを特徴とするＣＤＭＡ無線基地局送信電力制御方式。
【請求項２】
移動局から受信した送信電力制御ビットを用いて演算した第１の送信電力値を用いる第１の送信電力制御系と、上位装置より設定された第２の送信電力値を用いる第２の送信電力制御系とにより送信電力を制御するＣＤＭＡ基地局送信電力制御方式であって、
上記第１の送信電力制御系は、移動局から受信した現在及び過去スロットにおける送信電力制御ビットによる制御電力量を積算して第１の送信電力値とし、
この第１の送信電力値と上記第２の送信電力値とを加算した送信電力値を上記送信電力とすることを特徴とするＣＤＭＡ基地局送信電力制御方式。
【請求項３】
第１の送信電力制御系は、移動局から受信した現在及び過去スロットにおける送信電力制御ビットによる制御電力量を積算して第１の送信電力値とし、
この第１の送信電力値と第２の送信電力値とを加算した送信電力値を送信電力とすることを特徴とする請求項１記載のＣＤＭＡ基地局送信電力制御方式。
【請求項４】
送信電力値が上位装置より設定された送信電力上限値以上もしくは送信電力下限値以下かどうかを判定し、この判定結果を移動局から受信した送信電力制御ビットによる制御電力量を積算した積算電力値に対して反映させることを特徴とする請求項３記載の送信電力制御方式。
【発明の詳細な説明】
【技術分野】
【０００１】
本発明は，ＣＤＭＡ無線通信システムにおける送信電力制御方式に関するものである。
【背景技術】
【０００２】
従来のＣＤＭＡ無線システムにおける送信電力制御においては、オープンループ（アウターループ）制御における制御誤差を補正し、また、クローズドループ（インナーループ）送信電力制御において、トラフィック変動に応じた移動局の送信電力の適応的な制御を、オープンループ制御において実現することを目的として、受信信号電力計算回路と、受信電力と送信電力設定値との初期関係を記憶する初期設定記憶回路と、前記関係を補正する補正回路と、送信電力判定回路とを有し、受信信号に周期的に含まれる制御信号により受信電力と送信電力設定値の関係を補正しながら、送信電力値を決定する構成をとっていた（例えば、特許文献１参照）。
【０００３】
【特許文献１】特開平１０−５６４２１号公報
【発明の開示】
【発明が解決しようとする課題】
【０００４】
上記従来の技術では、クローズドループとオープンループとの制御の反映タイミングについては、特に規定されていない。また、移動局と基地局と、基地局の上位装置で構成さえるＣＤＭＡ通信システムにおいて、上位装置からの基地局への送信電力上限値および下限値の設定タイミングや、基地局におけるクローズドループとオープンループとの制御の反映タイミングが異なり、このタイミングラグにより、システム的に意図しない送信電力の変動を引き起こすという問題があった。
【０００５】
本発明は、上述のような課題を解決するためになされたものであり、基地局へのインプリメントを従来よりも複雑にすることなく、システム的に意図しない送信電力変動を抑制するとともに、より高精度な送信電力制御を可能としたＣＤＭＡ無線基地局の送信電力制御方式を提供することを目的とする。
【課題を解決するための手段】
【０００６】
この発明に係るＣＤＭＡ無線基地局送信電力制御方式においては、移動局から受信した送信電力制御ビットを用いて演算した第１の送信電力値を用いる第１の送信電力制御系と、上位装置より設定された第２の送信電力値を用いる第２の送信電力制御系とにより送信電力を制御するＣＤＭＡ基地局送信電力制御方式であって、上記第１及び第２の送信電力制御系による上記送信電力制御の反映タイミングを同一とするようにしたものである。
【発明の効果】
【０００７】
以上のように、この発明によれば、移動局から受信した送信電力制御ビットを用いて演算した第１の送信電力値を用いる第１の送信電力制御系と、上位装置より設定された第２の送信電力値を用いる第２の送信電力制御系とにより送信電力を制御するＣＤＭＡ基地局送信電力制御方式であって、上記第１及び第２の送信電力制御系による上記送信電力制御の反映タイミングを同一とするようにしたことにより、システム的に意図しない送信電力変動を抑制することを可能となり、また、送信電力制御に必要な基準タイミング信号の本数を削減できるため、無線基地局装置へのインプリメントが容易となる。
【発明を実施するための最良の形態】
【０００８】
実施の形態１．
この発明の実施の形態１におけるＣＤＭＡ無線基地局送信電力制御方式を以下、図面に基づいて説明する。図１はＣＤＭＡ無線基地局装置の下り送信電力制御部の回路ブロック構成図である。ＣＤＭＡ無線基地局装置の下り送信電力制御は、移動局から受信した受信ＴＰＣ（Transmit Power Control）ビットから送信電力を演算するインナーループ（第１の送信電力制御系）による送信電力制御と、ＣＤＭＡ無線システムにおいて、基地局装置の上位装置、例えばＲＮＣ（Radio Network Control）から設定される送信電力値を下り送信電力として下り送信電力に反映するアウターループ（第２の送信電力制御系）による送信電力制御との２種類がある。
【０００９】
インナーループによる送信電力制御は、３ＧＰＰ（The 3rd Generation Partnership Project）によれば、下記式（１）で表される。ただし、ここではＰbal(ｋ)＝０とし考慮しない。
【００１０】
Ｐ(ｋ)＝Ｐ(ｋ−１)＋ＰTPC(ｋ)＋Ｐbal(ｋ)  …（１）
【００１１】
Ｐ(ｋ)：ｋ番目の受信ＴＰＣビットを反映した送信電力値、ＰTPC(ｋ)：ｋ番目の受信ＴＰＣビットによる制御電力量。
【００１２】
受信ＴＰＣ復調回路１において、入力された移動局から受信した受信信号に含まれる受信ＴＰＣビットを復調し、ここで得られた受信ＴＰＣビットによる制御電力量はインナーループ送信電力制御処理回路２に入力される。インナーループ送信電力制御処理回路２では、上記式（１）の演算が行われ、インナーループによる送信電力制御値を送信電力選択回路３に出力する。
【００１３】
インナーループによる送信電力制御値とアウターループによる送信電力制御値は、選択制御回路４の出力と所定の条件に従って送信電力選択回路３から切り替えられて出力される。送信電力選択回路３から出力された送信電力制御値は、送信電力制限回路５に入力され、上位装置から設定された送信電力下限値よりも下回っている場合、送信電力上限値より上回っている場合は、それぞれの下限値、上限値にクリップ処理が施された後に送信電力設定回路６に入力される。
【００１４】
図２は図１のＣＤＭＡ無線基地局装置の下り送信電力制御部における制御処理を示すフロー図であり、選択制御回路４には送信電力反映タイミング信号とインナーループ制御信号が入力され、（２０１）のステップ（以下、ステップを省略する）では、送信電力反映タイミングかどうかを判定する。この時送信電力反映タイミングであれば、次ぎに（２０２）ではインナーループ制御信号ＯＮかどうかを判定する。インナーループ制御信号がＯＮであれば（２０３）でインナーループ送信電力処理回路２において上記式（１）よりＰ(ｋ)を求めて送信電力値として送信電力選択回路３に出力する（２０４）。この送信電力値は送信電力制限処理を行う（２０５）送信電力制限回路５を介して送信電力設定回路６に入力され、下り送信データに反映されて、送信信号として無線送信処理を行い、移動局に送信する。また、送信電力制限回路５より出力された送信電力値は、インナーループ送信電力制御処理回路２にフィードバックされ、次のインナーループ反映タイミングでの送信電力演算に使用する。
【００１５】
（２０１）で送信電力反映タイミングでなければ送信電力は変更せずに制御処理を終了する（２０６）。また、（２０２）でインナーループ制御信号がＯＦＦであれば（２０７）で送信電力制御回路３において、Ｐ(ｋ)にアウターループによる送信電力設定値を代入してこの値を送信電力値として出力する（２０４）。
【００１６】
図３は送信電力制限回路５の送信電力制限処理（２０５）を示すフロー図で、（２０３）で求めた送信電力値、（２０７）で設定された送信電力値を送信電力上限値及び送信電力下限値と比較して、送信電力上限値を上回っていた場合は送信電力上限値、送信電力下限値を下回っていた場合は送信電力下限値をその時の送信電力値とする。
【００１７】
送信電力制御についてはインナーループによる制御とアウターループによる制御の２種類あるが、それぞれの制御の反映タイミングについては本実施の形態１では同一タイミングとし、この同一にしたタイミングを送信電力制御反映タイミングと呼んでいる。
【００１８】
図４はＣＤＭＡ無線基地局装置における下り送信スロット信号フォーマットを示す図で、送信電力制御反映タイミングは、必ずしも下り送信物理チャネルスロットやフレームの先頭である必要はなく、また一定の周期である必要もないが、ＣＤＭＡ無線基地局装置のインプリメントを考慮して、ここでは送信電力制御反映タイミングは、スロット周期で、変更タイミングはスロット中のパイロット（PILOT）の先頭（Ａ点）とする。なお、下りの送信スロット信号フォーマットを変更して、スロット先頭とパイロット先頭が一致するようにして、送信電力制御反映タイミングをスロット先頭にしても構わない。
【００１９】
図５は本実施の形態１におけるインナーループによる送信電力制御時の下り送信スロットと送信電力の対応付けを示す図であり、インナーループによる送信電力制御は、受信ＴＰＣビットを復調して求められた下り送信電力の移動局からの要求変化量である受信ＴＰＣ判定値ΔＴＰＣを用いて行われ、送信電力制御反映タイミング１１０毎に下り送信電力５０１に反映される。
【００２０】
アウターループによる送信電力制御は、送信電力上限値１０１、アウターループ送信電力設定値１０２、送信電力下限値（図５には図示せず）を用いて行われる。
【００２１】
ここで下り送信電力５０１について、スロット番号ごとの変化に着目する。スロット（ｋ−３）では、受信ＴＰＣ判定値は−ΔＴＰＣなので、送信電力反映タイミング１１０で下り送信電力５０１が−ΔＴＰＣ変化する。スロット（ｋ−２）では、受信ＴＰＣ判定値は＋ΔＴＰＣなので、送信電力反映タイミング１１０で下り送信電力５０１が＋ΔＴＰＣ変化する。スロット（ｋ−１）では、受信ＴＰＣ判定値は＋ΔＴＰＣなので、送信電力反映タイミング１１０で下り送信電力５０１が＋ΔＴＰＣ変化する。なお、送信電力反映タイミング１１０でアウターループ送信電力設定１０２が変化しているが、インナーループによる送信電力制御中なので、下り送信電力５０１には反映されない。スロット（ｋ）では、受信ＴＰＣ判定値は＋ΔＴＰＣとなっているが、送信電力反映タイミング１１０で送信電力上限値１０１が変化し、（送信電力上限値１０１）＜（下り送信電力５０１）となるため、下り送信電力５０１は送信電力上限値１０１と等しくなる。スロット（ｋ＋１）では、受信ＴＰＣ判定値は−ΔＴＰＣなので、送信電力反映タイミング１１０で下り送信電力５０１が−ΔＴＰＣ変化する。
【００２２】
図６は、本実施の形態１におけるインナーループによる送信電力制御とアウターループによる送信電力制御をインナーループ制御信号のＯＮ／ＯＦＦで切り替えた場合の下り送信スロットと送信電力の対応付けの例を示す図である。ここでは、図５と同じ部分は、説明を省略する。送信電力反映タイミング１１０は、図５に示している反映タイミングと同一である。
【００２３】
ここで、下り送信電力６０１の変化に着目した場合、スロット番号（ｋ−１）の送信電力反映タイミング１１０で、インナーループ制御信号がＯＮからＯＦＦに切り替わっているため、スロット番号（ｋ−１）での受信ＴＰＣ判定値である＋ΔＴＰＣは、下り送信電力６０１に反映されず、下り送信電力６０１は、アウターループ送信電力設定１０２と等しくなる。また、スロット番号（ｋ）の送信電力反映タイミング１１０で、インナーループ制御信号がＯＦＦからＯＮに切り替わっているため、下り送信電力６０１が＋ΔＴＰＣ変化する。
【００２４】
ここで、下り送信電力について、スロット番号ごとの変化についての従来との比較例として、従来、例えば３ＧＰＰによれば、インナーループ反映タイミングとアウターループ反映タイミングは、異なるタイミングで規定されており、インナーループ反映タイミングをスロット中パイロットの先頭（図４のＡ点）、アウターループ反映タイミングをスロットの先頭（図４のＢ点）とした場合のインナーループによる送信電力制御時の下り送信スロットと送信電力の対応付けを図７に示す。なお、この場合のＣＤＭＡ無線基地局装置の下り送信電力制御部の回路ブロック構成図としては図１と同様であるが、選択制御回路４には送信電力反映タイミングとして、インナーループ反映タイミングとアウターループ反映タイミングの２種類の信号が入力される。
【００２５】
図７は上記従来の場合のインナーループによる送信電力制御時の下り送信スロットと送信電力の対応付けを示す図であり、下り送信電力７０１の変化に着目する。スロット（ｋ−３）では、受信ＴＰＣ判定値は−ΔＴＰＣなので、インナーループ反映タイミング１１１で下り送信電力７０１が−ΔＴＰＣ変化する。スロット（ｋ−２）では、受信ＴＰＣ判定値は＋ΔＴＰＣなので、インナーループ反映タイミング１１１で下り送信電力７０１が＋ΔＴＰＣ変化する。スロット（ｋ−１）では、受信ＴＰＣ判定値は＋ΔＴＰＣなので、インナーループ反映タイミング１１１で下り送信電力７０１が＋ΔＴＰＣ変化する。スロット（ｋ）では、アウターループ反映タイミング１１２で、アウターループ送信電力設定１０４が変化しているが、インナーループによる送信電力制御中なので、下り送信データ７０１には反映されない。受信ＴＰＣ判定値１０３は＋ΔＴＰＣなので、インナーループ反映タイミング１１１で下り送信電力７０１が＋ΔＴＰＣ変化する。スロット（ｋ＋１）では、アウターループ反映タイミング１１２で、送信電力上限値１０３が変化し、（送信電力上限値１０３）＜（下り送信電力７０１）となるため、下り送信電力７０１は送信電力上限値１０３と等しくなる。受信ＴＰＣ判定値は−ΔＴＰＣなので、インナーループ反映タイミング１１１で下り送信電力７０１が−ΔＴＰＣ変化する。
【００２６】
図８は上記従来の場合のインナーループによる送信電力制御とアウターループによる送信電力制御をインナーループ制御信号のＯＮ／ＯＦＦで切り替えた場合の下り送信スロットと送信電力の対応付けの例を示す図である。ここでは、図７と同じ部分は、説明を省略する。ここで、下り送信電力８０１の変化に着目した場合、スロット（ｋ）では、アウターループ反映タイミング１１２で、インナーループ制御信号がＯＦＦとなり、下り送信電力８０１は、アウターループ送信電力設定１０４と等しくなる。受信ＴＰＣ判定値は＋ΔＴＰＣだが、インナーループ制御信号がＯＦＦなので、インナーループ反映タイミング１１１が来ても下り送信電力８０１には反映されない。スロット（ｋ＋１）では、アウターループ反映タイミング１１２で、インナーループ制御信号がＯＮとなるが、下り送信電力１０２は、変化しない。受信ＴＰＣ判定値は−ΔＴＰＣなので、インナーループ反映タイミング１１１で、下り送信電力８０１は−ΔＴＰＣ変化する。
【００２７】
ここで、インナーループによる送信電力制御時の下り送信スロットと送信電力の対応付けを示す本実施の形態１における図５と従来の例における図７を比較してみると、スロット（ｋ）で、図５ではインナーループによる送信電力制御とアウターループによる送信電力制御の反映タイミングが同じであるため、図７で見られるようなインナーループとアウターループの反映タイミング差による送信電力の変動は見られない。
【００２８】
また、インナーループによる送信電力制御とアウターループによる送信電力制御をインナーループ制御信号のＯＮ／ＯＦＦで切り替えた場合の下り送信スロットと送信電力の対応付けを示す本実施の形態１における図６と従来の例における図８を比較してみると、スロット（ｋ−１）で、図６ではインナーループによる送信電力制御とアウターループによる送信電力制御の反映タイミングが同じであるため、図８で見られるようなインナーループとアウターループの反映タイミング差による送信電力の変動は見られない。
【００２９】
従って、本実施の形態１では、システム的に意図しない送信電力変動を抑制することを可能となる。また、従来はインナーループ制御反映タイミング信号とアウターループ制御反映タイミング信号の２種類のタイミング信号があったが、本実施の形態１では、送信電力反映タイミング信号の１種類だけであり、送信電力制御に必要な基準タイミング信号の本数を削減できるため、無線基地局装置へのインプリメントが容易となる。
【００３０】
実施の形態２．
この発明の実施の形態２におけるＣＤＭＡ無線基地局送信電力制御方式を以下、図面に基づいて説明する。図９はＣＤＭＡ無線基地局装置の下り送信電力制御部の回路ブロック構成図であり、図１と同じ部分は説明を省略する。図１０は図９のＣＤＭＡ無線基地局装置の下り送信電力制御部における制御処理を示すフロー図である。
【００３１】
本実施の形態２では、インナーループによる送信電力制御を下記式(２)、式(３)で求める。
【００３２】
Ｐ(ｋ)＝Ｐ１＋Ｐ'TPC(ｋ)  …（２）
【００３３】
Ｐ'TPC(ｋ)＝Ｐ'TPC(ｋ−１)＋ＰTPC(ｋ)…（３）
【００３４】
Ｐ(ｋ)：ｋ番目の受信ＴＰＣビットを反映した送信電力値、Ｐ１：送信電力反映タイミング時のアウターループによる送信電力値、Ｐ'TPC(ｋ)：ｋ番目までの受信ＴＰＣビットによる制御電力積算量、ＰTPC(ｋ)：ｋ番目の受信ＴＰＣビットによる制御電力量。
【００３５】
実施の形態１における式(１)では，前の送信電力値より次の送信電力値を求めていたが、式(２)、式(３)では，前の受信ＴＰＣビットによる制御電力積算量から次の制御電力積算量を求め、これにアウターループによる送信電力値を加算して、次の送信電力値を求める。式(２)、(３)より、インナーループによる送信電力制御開始時の送信電力は，アウターループによる送信電力値と等しく、制御電力積算量Ｐ'TPC(ｋ)＝０である。
【００３６】
選択制御回路４にはインナーループ反映タイミング信号とアウターループ反映タイミング信号とインナーループ制御信号とが入力され、（１００１）のステップ（以下、ステップを省略する）では、インナーループ反映タイミングかどうかを判定する。この時インナーループ反映タイミングであれば、次ぎに（１００２）ではインナーループ制御信号ＯＮかどうかを判定する。インナーループ制御信号がＯＮであれば（１００３）でインナーループ送信電力処理回路７において上記式（３）よりＰ'TPC(ｋ)を求め、（１００４）で上記式（２）よりＰ（ｋ）を求めて送信電力値として送信電力選択回路３に出力する（１００５）とともに次のインナーループ反映タイミングで受信ＴＰＣビットによる制御電力積算量の演算に使用するために、インナーループ送信電力処理回路７にフィードバックされる。また、送信電力制限回路５で、上限もしくは下限クリップが発生した場合は、送信電力選択回路３にクリップ情報を通知するため、クリップ情報通知信号が追加されている。
【００３７】
（１００６）でアウターループ反映タイミングであり、（１００７）でインナーループ制御がＯＦＦであれば、（１００８）でＰ'TPC(ｋ)＝０にして、送信電力値には、このアウターループ反映タイミング時のアウターループ送信電力設定値を適用する。
【００３８】
（１００２）でインナーループ制御がＯＮとなっていなければ、送信電力は変更せずに制御処理を終了する（１００９）。また、（１００６）でアウターループ反映タイミングでない場合、（１００７）でインナーループ制御がＯＦＦとなっていない場合も送信電力は変更せずに制御処理を終了する（１０１０）。
【００３９】
図１１は本実施の形態２におけるインナーループによる送信電力制御時の下り送信スロットと送信電力の対応付けを示す図であり、下り送信電力１１０１の変化に着目する。スロット（ｋ−３）では、受信ＴＰＣ判定値は−ΔＴＰＣなので、インナーループ反映タイミング１１１で下り送信電力１１０１が−ΔＴＰＣ変化する。スロット（ｋ−２）では、受信ＴＰＣ判定値は＋ΔＴＰＣなので、インナーループ反映タイミング１１１で下り送信電力１１０１が＋ΔＴＰＣ変化する。スロット（ｋ−１）では、受信ＴＰＣ判定値は＋ΔＴＰＣなので、インナーループ反映タイミング１１１で下り送信電力１１０１が＋ΔＴＰＣ変化する。スロット（ｋ）では、アウターループ反映タイミング１０４で、アウターループ送信電力設定１０４が変化しており、インナーループによる送信電力制御演算式である上記式（２）、（３）により、アウターループ送信電力設定１０４の変化分が下り送信電力１１０１に反映される。そして、受信ＴＰＣ判定値は＋ΔＴＰＣなので、インナーループ反映タイミングで＋ΔＴＰＣ変化する。
【００４０】
本実施の形態２におけるインナーループによる送信電力制御とアウターループによる送信電力制御をインナーループ制御信号のＯＮ／ＯＦＦで切り替えた場合の下り送信スロットと送信電力の対応付けについては、実施の形態１で従来との比較例として示した図８と同じになる。
【００４１】
以上のように、本実施の形態２では、インナーループによる送信電力制御中に、アウターループによる送信電力設定によって、下り送信電力を補正することができ、より高精度な送信電力制御が可能となる。また、インナーループ送信電力制御処理回路は、従来および実施の形態１では式（１）の演算機能を有していたため、送信電力値をフィードバックして入力としていたが、本実施の形態２では、Ｐ'TPC(ｋ−１)に対応する受信ＴＰＣビットによる制御電力積算量をフィードバックするようにしたので、このフィードバックループが小さくなったため、ハードウエアで構成する場合に配線長を短くできるという長所がある。
【００４２】
実施の形態３．
この発明の実施の形態３におけるＣＤＭＡ無線基地局送信電力制御方式を以下、図面に基づいて説明する。図１２はＣＤＭＡ無線基地局装置の下り送信電力制御部の回路ブロック構成図であり、図１３は図１２のＣＤＭＡ無線基地局装置の下り送信電力制御部における制御処理を示すフロー図である。
【００４３】
本実施の形態３では，インナーループによる送信電力制御の反映タイミングとアウターループによる反映タイミングを同一にし、インナーループによる送信電力制御に上記実施の形態２で記載した式(２)、式(３)を適用する。
【００４４】
送信電力演算回路８には送信電力反映タイミング信号とインナーループ制御信号とアウターループ送信電力値とが入力され、（１３０１）のステップ（以下、ステップを省略する）では、送信電力反映タイミングかどうかを判定する。この時送信電力反映タイミングであれば、（１３０２）でインナーループ送信電力処理回路７において式（３）よりＰ'TPC(ｋ)を求め、（１３０３）でインナーループ制御信号ＯＮかどうかを判定する。インナーループ制御信号がＯＮであれば（１３０４）でインナーループ送信電力処理回路７において式（２）よりＰ（ｋ）を求めて送信電力値として送信電力演算回路８に出力する（１３０５）とともに次のインナーループ反映タイミングで受信ＴＰＣビットによる制御電力積算量の演算に使用するために、インナーループ送信電力処理回路７にフィードバックされる。また、送信電力制限回路５で、上限もしくは下限クリップが発生した場合は、送信電力演算回路８にクリップ情報を通知するため、クリップ情報通知信号が追加されている。
【００４５】
（１３０３）でインナーループ制御がＯＦＦであれば、（１３０６）でＰ'TPC(ｋ)＝０にして、式（２）よりＰ（ｋ）を求める。（１３０１）で送信電力制御反映タイミングでなければ、送信電力は変更せずに制御処理を終了する（１３０７）。
【００４６】
図１４は本実施の形態３におけるインナーループによる送信電力制御時の下り送信スロットと送信電力の対応付けを示す図であり、下り送信電力１４０１の変化に着目する。スロット（ｋ−３）では、受信ＴＰＣ判定値は−ΔＴＰＣなので、送信電力反映タイミング１１０で下り送信電力１４０１が−ΔＴＰＣ変化する。スロット（ｋ−２）では、受信ＴＰＣ判定値は＋ΔＴＰＣなので、送信電力反映タイミング１１０で下り送信電力１４０１が＋ΔＴＰＣ変化する。スロット（ｋ−１）では、受信ＴＰＣ判定値は＋ΔＴＰＣであり、アウターループ送信電力設定は−ΔＴＰＣ変化しており、送信電力反映タイミング１１０での下り送信電力１４０１の変化量は、＋ΔＴＰＣ＋（−ΔＴＰＣ）＝０となる。スロット（ｋ）では、送信電力反映タイミング１１０で、受信ＴＰＣ判定値は＋ΔＴＰＣで、下り送信電力１４０１は＋ΔＴＰＣ増加しようとするが、送信電力上限値１０１が変化しており、この送信電力上限値１０１にクリップされるため、送信電力上限値１０１と等しくなる。
【００４７】
本実施の形態３におけるインナーループによる送信電力制御とアウターループによる送信電力制御をインナーループ制御信号のＯＮ／ＯＦＦで切り替えた場合の下り送信スロットと送信電力の対応付けについては、実施の形態１で示した図６と同じになる。
【００４８】
ここで、インナーループによる送信電力制御時の下り送信スロットと送信電力の対応付けを示す本実施の形態３における図１４と従来の例における図７を比較してみると、スロット（ｋ−１）とスロット（ｋ）で、図１４ではインナーループによる送信電力制御とアウターループによる送信電力制御の反映タイミングが同じであるため、図７で見られるようなインナーループとアウターループの反映タイミング差による送信電力の変動は見られない。
【００４９】
以上のように、本実施の形態３では、システム的に意図しない送信電力変動を抑制することを可能となる。かつ、インナーループによる送信電力制御中に、アウターループによる送信電力設定によって、下り送信電力を補正することができ、より高精度な送信電力制御が可能となる。また、インナーループ送信電力制御処理回路は、従来および実施の形態１では式（１）の演算機能を有していたため、送信電力値をフィードバックして入力としていたが、本実施の形態３では、Ｐ'TPC(ｋ−１)に対応する受信ＴＰＣビットによる制御電力積算量をフィードバックするようにしたので、このフィードバックループが小さくなったため、ハードウエアで構成する場合に配線長を短くできるという長所がある。
【００５０】
実施の形態４．
この発明の実施の形態４におけるＣＤＭＡ無線基地局送信電力制御方式を以下、図面に基づいて説明する。図１５はＣＤＭＡ無線基地局装置の下り送信電力制御部の回路ブロック構成図であり、図１６は図１５のＣＤＭＡ無線基地局装置の下り送信電力制御部における制御処理を示すフロー図である。
【００５１】
本実施の形態４では、実施の形態３と同様にインナーループによる送信電力制御の反映タイミングとアウターループによる反映タイミングを同一にし、インナーループによる送信電力制御に実施の形態２で記載した式(２)、式(３)を適用し、送信電力上限値／下限値の適用は、送信電力Ｐ(ｋ)に対してではなく、受信ＴＰＣビットによる制御電力積算量Ｐ'TPC(ｋ)に対して行う。
【００５２】
Ｐ'TPC(ｋ)に対する送信電力上限値／下限値の反映は、下記の式（４）を適用する。
【００５３】
Ｐ(ｋ)＞ＰMAXの場合：Ｐ'TPC(ｋ)＝ＰMAX−Ｐ１、Ｐ(ｋ)＜ＰMINの場合：Ｐ'TPC(ｋ)＝ＰMIN−Ｐ１  …（４）
【００５４】
Ｐ(ｋ)：ｋ番目の受信ＴＰＣビットを反映した送信電力値、Ｐ１：送信反映タイミング時のアウターループによる送信電力値、Ｐ'TPC(ｋ)：ｋ番目までの受信ＴＰＣビットによる制御電力積算量、ＰMAX：送信反映タイミング時の送信電力上限値、ＰMIN：送信反映タイミング時の送信電力下限値
【００５５】
送信電力演算回路８には送信電力反映タイミング信号とインナーループ制御信号とアウターループ送信電力値とが入力され、（１６０１）のステップ（以下、ステップを省略する）では、送信電力反映タイミングかどうかを判定する。この時送信電力反映タイミングであれば、（１６０２）でインナーループ送信電力処理回路７において式（３）よりＰ'TPC(ｋ)を求め、次に（１６０３）で送信電力制限回路９においてＰ'TPC(ｋ)に式（４）を適用し、（１６０４）でインナーループ制御信号ＯＮかどうかを判定する。インナーループ制御信号がＯＮであれば（１６０５）でインナーループ送信電力処理回路７において式（２）よりＰ（ｋ）を求め、このＰ（ｋ）を送信電力とする（１６０６）。
【００５６】
（１６０４）でインナーループ制御がＯＦＦであれば、（１６０７）でＰ'TPC(ｋ)＝０にして、式（２）よりＰ（ｋ）を求める。（１６０１）で送信電力制御反映タイミングでなければ、送信電力は変更せずに制御処理を終了する（１６０８）。
【００５７】
実施の形態３では，送信電力制限処理反映前のＰ'TPC(ｋ−１)をインナーループ送信電力処理回路７へフィードバック入力していたが、本実施の形態４では、送信電力制限処理反映後のＰ'TPC(ｋ−１)をフィードバックする。
【００５８】
実施の形態３で必要であった送信電力制限回路からのクリップ情報通知信号を削除することができ、また、Ｐ'TPC(ｋ)をクリアしたい場合はＰ１＝ＰMAX＝ＰMANを設定すればよく、この時の下り送信電力は、Ｐ１と等しくなる。
【００５９】
本実施の形態４におけるインナーループによる送信電力制御時の下り送信スロットと送信電力の対応付けは、実施の形態３で示した図１４と同じであり、インナーループによる送信電力制御とアウターループによる送信電力制御をインナーループ制御信号のＯＮ／ＯＦＦで切り替えた場合の下り送信スロットと送信電力の対応付けについては、実施の形態１で示した図６と同じになる。
【００６０】
以上のように、本実施の形態４では、実施の形態３の効果に加えて、下り送信電力に送信電力上限値および下限値を反映する時、インナーループによる送信電力制御値演算と同時に行うため、別に送信電力制限制御を行う必要がなく、送信電力制御処理部の規模を小さくすることが可能となる。
【図面の簡単な説明】
【００６１】
【図１】本発明の実施の形態１におけるＣＤＭＡ無線基地局装置の下り送信電力制御部の回路ブロック構成図である。
【図２】本発明の実施の形態１におけるＣＤＭＡ無線基地局装置の下り送信電力制御部における制御処理を示すフロー図である。
【図３】本発明の実施の形態１における送信電力制限回路の送信電力制限処理を示すフロー図である。
【図４】ＣＤＭＡ無線基地局装置における下り送信スロット信号フォーマットを示す図である。
【図５】本発明の実施の形態１におけるインナーループによる送信電力制御時の下り送信スロットと送信電力の対応付けを示す図である。
【図６】本実施の形態１におけるインナーループによる送信電力制御とアウターループによる送信電力制御をインナーループ制御信号のＯＮ／ＯＦＦで切り替えた場合の下り送信スロットと送信電力の対応付けの例を示す図である。
【図７】従来のインナーループによる送信電力制御時の下り送信スロットと送信電力の対応付けの例を示す図である。
【図８】従来のインナーループによる送信電力制御とアウターループによる送信電力制御を切り替えた場合の下り送信スロットと送信電力の対応付けの例を示す図である。
【図９】本発明の実施の形態２におけるＣＤＭＡ無線基地局装置の下り送信電力制御部の回路ブロック構成図である。
【図１０】本発明の実施の形態２におけるＣＤＭＡ無線基地局装置の下り送信電力制御部における制御処理を示すフロー図である。
【図１１】本発明の実施の形態２におけるインナーループによる送信電力制御時の下り送信スロットと送信電力の対応付けを示す図である。
【図１２】本発明の実施の形態３におけるＣＤＭＡ無線基地局装置の下り送信電力制御部の回路ブロック構成図である。
【図１３】本発明の実施の形態３におけるＣＤＭＡ無線基地局装置の下り送信電力制御部における制御処理を示すフロー図である。
【図１４】本発明の実施の形態３におけるインナーループによる送信電力制御時の下り送信スロットと送信電力の対応付けを示す図である。
【図１５】本発明の実施の形態４におけるＣＤＭＡ無線基地局装置の下り送信電力制御部の回路ブロック構成図である。
【図１６】本発明の実施の形態４におけるＣＤＭＡ無線基地局装置の下り送信電力制御部における制御処理を示すフロー図である。
【符号の説明】
【００６２】
１  受信ＴＰＣ復調回路
２  インナーループ送信電力制御処理回路
３  送信電力選択回路
４  選択制御回路
５  送信電力制限回路
６  送信電力設定回路
１０１  送信電力上限値
１０２  アウターループ送信電力設定
１１０  送信電力反映タイミング
５０１  下り送信電力
【図１】
2005080080.tif 000003
【図２】
2005080080.tif 000004
【図３】
2005080080.tif 000005
【図４】
2005080080.tif 000006
【図５】
2005080080.tif 000007
【図６】
2005080080.tif 000008
【図７】
2005080080.tif 000009
【図８】
2005080080.tif 000010
【図９】
2005080080.tif 000011
【図１０】
2005080080.tif 000012
【図１１】
2005080080.tif 000013
【図１２】
2005080080.tif 000014
【図１３】
2005080080.tif 000015
【図１４】
2005080080.tif 000016
【図１５】
2005080080.tif 000017
【図１６】
2005080080.tif 000018